(57)【要約】【課題】マンションなど均等に雨水を分配する必要がある、少雨時でもタンクから水を供給できなければ災害時の対応に信頼性がないので常時保水する構造とする。フィルターの性能を確保する為逆洗浄する必要があるが災害時でも使える為には無動力でなくてはならない。造水能力を上げる動力加圧は災害時にはできない。【解決手段】  タンクを縦長く、外形φ１５ｃｍから４０ｃｍ高さを１５０ｃｍから４００ｃｍの省スペースとし、災害時水頭圧を利用し無動力で飲料水を造水、保水する。また少降雨量の対策として災害用最低飲用水確保の為常時最低限の水を確保できる装置８を設け、屋上の分配装置と各戸へのホースの組み合わせで均等に各戸配水構造とした。市販フィルターは水を使用するたび水頭圧が脈動し無動力で逆洗浄し性能が落ちにくい為小さな濾過器で造水し、また強制的にはバルブ操作で逆洗浄を無動力でする構造とした。【選択図】図２
0003141077.tif 000002
【実用新案登録請求の範囲】
【請求項１】
屋上１に降雨した雨を集め、雨に含まれる荒ごみを除去する不織布などからなる荒めのフィルター構造を有する荒ごみ除去装置２と、該荒ごみ除去装置２に貯まった雨水を各階各戸設置タンクへ均等に分配する雨水集水分配槽３と、該マンションの各階各戸へ分配する分配ホース４と各階各戸設置の上水を補給する装置である、貯留水補給ボールタップ８を持つ雨水貯留タンク７とU型に連結された精密濾過装置５と空気抜き弁１０を併せ持つ飲料水タンク９からなる無動力飲料水造水逆洗構造を特徴とする無動力雨水貯留飲用水造水装置
【請求項２】
該荒め荒塵除去装置２、雨水集水分配槽３、分配ホース４からマンション各戸設置のオーバーフロー管６、雨水貯留タンク７、貯留水補給ボールタップ８、飲料用水貯留タンク９、エアー抜き弁１０、ドレン弁１１、未濾過水用蛇口１２、濾過水用蛇口１３、逆洗バルブ１４で構成される貯留タンクに雨水を均等分配する構造を特徴とする無動力雨水貯留飲用水造水装置
【請求項３】
該飲用水タンク９は、精密濾過装置のみならずその他一般のフィルターに対応結合させる接続口持っていることを特徴とする無動力雨水貯留飲用水造水装置
【請求項４】
雨水タンク７と飲用水タンク９とに溜まった各水を未濾過水用蛇口を開閉することで雨水貯留タンク７と飲料用水貯留タンク９間に脈動が起こり精密濾過装置５を飲料用水が逆流することで精密濾過装置５を逆洗浄する、また逆洗バルブ１４を閉じ未濾過水用蛇口を開くことにより飲料用水が精密濾過装置5を逆流することにより逆洗浄する構造を特徴とする無動力雨水貯留飲用水造水装置
【請求項５】
雨水タンク７と飲用水タンク９と空気抜き弁１０をＵ字型下部連結構造とし、その間に精密濾過装置５を挟み込み下部から上部へ雨水タンクの水頭圧と飲用水タンク上部のエアー抜き弁より空気圧を排出することにより雨水重力で精密濾過装置５を通過させ飲用水を造水する構造であることを特徴とする無動力雨水貯留飲用水造水装置
【請求項６】
吐水口、（蛇口）より上部にタンクを設置することを特徴とする無動力雨水貯留飲用水造水装置
【考案の詳細な説明】
【技術分野】
【０００１】
本考案は、雨水と雨水より飲料水を造水貯留し地震災害時また上水断水時などどのようなときでも飲料水、生活水を確保しまた、日常は、ガーデニング用水などに使用することを目的とし飲用水造水に用いる濾過装置の負荷低減寿命延命のため無動力で逆洗浄機能を付加したものである。
【背景技術】
【０００２】
雨水タンクはいろいろ考案されているがそのほとんどが戸建て住宅用で、飲料水まで造水できるもので無く、場所も取り、また水頭圧を稼ぐため動力が必要なものが多く、少雨季にはタンクが空になったり、常に水があるとは限らない。このような状況のため、その存在価値が薄れ水道水に頼ることが多いのが実態である。今世紀に大地震発生が予測されている。耐震設計したマンションと高齢化社会の中にあって地震発生によりライフラインが途絶えた場合でも「水」さえあれば、被災者は仮設住宅に避難することもなく、自分のマンションで何とか生活を続けることが出来るであろう。このことは、阪神淡路大震災以降の被災者生活を見ても判る通り被災者にとっては、大変な中においても一番精神的に落ち着けることである。
【考案の開示】
【考案が解決しようとする課題】
【０００３】
地震災害発生時、ライフラインが途絶えればたちまち住民は生活に困窮し罹災を余儀なくされる。そこで耐震設計されたマンションのベランダの限られたスペースに貯水タンクを設置しマンション屋上から雨水を、各戸から上水を取り込む２系統方式として貯水タンクをいつも雨水、飲用水を確保させて且つ、常時、無動力でその雨水を飲料用に造水し必要時(例えば、災害時)にその家族が必要とする必要最小限度の「飲料水と生活用水」を利用ことにより前述の問題を解決しようとするものである。
【課題を解決するための手段】
【０００４】
貯水タンクを縦長く、外形φ１５０ｍｍからφ４００ｍｍ、高さを１５００ｍｍから４０００ｍｍとし省スペース化を図る。また省エネ、災害時を想定し、雨水タンクの高さによる水頭圧を利用することにより動力なしで飲料水を造水、保水する。また降雨量が少ないときの対策として災害用補給として最低量の飲料水確保のため、常時最低限の水を確保できる装置、貯留水補給ボールタップ８を設けた。屋上の分配装置と各戸へのホースの組み合わせにより均等に各戸に配水する。精密濾過装置５は、水を使用するたび水頭圧が脈動し無動力で逆洗浄し性能が落ちにくい為小さな濾過器で造水し、また強制的にはバルブ１４、未濾過水用蛇口１２操作で逆洗浄を無動力でする構造とした。        
【考案の効果】
【０００５】
雨水を貯留しいつでも水(飲料水や生活水)を無動力で確保及び濾過装置の洗浄できる、地震災害時や日常生活において安心して生活ができるという「安心・安全・癒し」の精神的効果のみならず大きく言えば、政府の災害復旧費節減等に、個々のマンション住民にとって、平常時における雨水利用による経費節減や設備の省スペース化を図っておりプランターへの水やりなど快適なマンションライフの醸成また災害時の体力面の疲労緩和・危険の回避等相当数の効果がある。
【考案を実施するための最良の形態】
【０００６】
耐震設計されたマンションの屋上に設置する装置及びベランダに設置する装置とも躯体と一体化させた装置として地震等の振動にも耐えうる組み立て工法とする。
【実施例】
【０００７】
機能を阻害することが無ければ材質は特定するものではなく、設置形態も戸建て、マンション、一般ビルと用途は問わない。
【０００８】
図1は屋上設置の濾過式ユニットを示す。
【０００９】
図２は無動力雨水貯留飲用水造水装置を示す。
【図面の簡単な説明】
【００１０】
【図１】本考案の全体フロー図
【図２】本考案の無動力雨水貯留飲用水造水装置
【符号の説明】
【００１１】
１屋上
２荒ごみ除去装置
３雨水集水分配槽
４分配ホース
５精密濾過装置
６オーバーフロー管
７雨水貯留タンク
８貯留水補給ボールタップ
９飲料用水貯留タンク
１０エアー抜き弁
１１ドレン弁
１２未濾過水用蛇口
１３濾過水用蛇口
１４逆洗バルブ
【図１】
0003141077.tif 000003
【図２】
0003141077.tif 000004
【手続補正書】
【提出日】平成20年2月6日(2008.2.6)
【手続補正１】
【補正対象書類名】実用新案登録請求の範囲
【補正対象項目名】全文
【補正方法】変更
【補正の内容】
【実用新案登録請求の範囲】
【請求項１】
複数階マンションや住宅の屋上１に降雨した雨水を集めガーデニングや一般用水として、また濾過して飲用水として利用する雨水貯留飲用水造水装置が、マンション等の屋上１に降雨した雨水を集水して雨水に含まれる粗塵除去用の不織布などからなる粗めのフィルター構造を有する粗塵除去装置２と、該粗塵除去装置２のフィルターを通過した雨水を貯留用の雨水集水均等分配タンク３と、該雨水集水均等分配タンク３に一体連結された均等分配ホース４と、該均等分配ホース４を介して該雨水集水均等分配タンク３から雨水分配先のマンション等各階各家庭に設置された雨水貯留タンク７と、該雨水貯留タンク７に一体連結された精密濾過装置５と、該精密濾過装置５に一体連結された飲用水貯留タンク９からなる構造であることを特徴とする無動力雨水貯留飲用水造水装置。
【請求項２】
前記複数の雨水貯留タンク７は、さらに分配受雨水オーバーフロー調整具６と雨水不足用上水補給調整ボールタップ８が一体連結されて、各家庭に常時、均等の受雨水量と必要貯水量の確保構造であることを特徴とする請求項１記載の無動力雨水貯留飲用水造水装置。
【請求項３】
前記精密濾過装置５が、精密濾過用フィルターのみならずその他一般濾過用フィルターに対応結合接続口を有する構造であることを特徴とする請求項１記載の無動力雨水貯留飲用水造水装置。
【請求項４】
前記飲用水タンク９は、前記雨水貯留タンク７から順に飲用水逆流洗浄用バルブ１４、未精密濾過水吐水用蛇口１２、精密濾過装置５、精密濾過水吐水用蛇口１３を各々介して雨水貯留タンク７と縦並列Ｕ型に一体下部連結構造で、該飲用水逆流洗浄用バルブ１４を閉め該未精密濾過水吐水用蛇口を開けることにより該精密濾過装置が無動力逆流洗浄可能構造であることを特徴とする請求項１記載の無動力雨水貯留飲用水造水装置。
【請求項５】
前記飲用水タンク９は、さらに該飲用水タンク上部に空気自動吸排気用空気抜き弁１０を有し、前記精密濾過装置５を無動力で前記雨水貯留タンク７に確保された雨水の重力で該飲用水タンク９に吸入された空気を自動吸排気することにより該飲用水タンク９に濾過水の貯留、また前記未精密濾過水吐水用蛇口１２を開くことにより該精密濾過装置５が無動力逆洗浄構造であることを特徴とする請求項１記載の無動力雨水貯留飲用水造水装置。
【請求項６】
前記精密濾過水吐水用蛇口１３が、前記飲料水タンク９より下部に設置された構造であることを特徴とする請求項４記載の無動力雨水貯留飲用水造水装置。
【手続補正２】
【補正対象書類名】明細書
【補正対象項目名】０００１
【補正方法】変更
【補正の内容】
【０００１】
本考案は、マンションや住宅の屋上に降雨した雨水を集水してガーデニングなどの一般用水として利用し、さらに濾過して飲用水として利用するための雨水貯留飲用水造水装置に関するものである。
さらには、濾過装置の負荷低減・寿命延長を目的に無動力での逆洗浄機能を付加したものである。
【手続補正３】
【補正対象書類名】明細書
【補正対象項目名】０００３
【補正方法】変更
【補正の内容】
【０００３】
地震などの災害発生時、ライフラインが途絶えればたちまち住民は生活に困窮し罹災を余儀なくされる。
そこで耐震設計されたマンションのベランダの限られたスペースに雨水貯留タンク７を設置し、マンション屋上から雨水を、各戸から上水を取り込む２系統方式として雨水貯留タンク７をいつも雨水および飲用水量を確保させて且つ、常時、無動力でその雨水を飲用水に造水し、災害などの必要時にその家族が必要とする最小限の飲用水と生活用水を利用可能にすることにより前述の問題を解決しようとするものである。
【手続補正４】
【補正対象書類名】明細書
【補正対象項目名】０００４
【補正方法】変更
【補正の内容】
【０００４】
雨水貯留タンク７を縦長く、外径は１５０ｍｍ〜４００ｍｍとし、高さは１５００ｍｍ〜４０００ｍｍとして省スペース化を図る。
また省エネ、災害時を想定し、雨水貯留タンク７の高さによる水頭圧を利用することにより無動力で飲用水を造水、保水する。
また降雨量が少ないときの対策として災害用補給として最低量の飲用水確保のため、常時最低限の水量を確保できる装置、雨水不足用上水補給調整ボールタップ８を設けた。
屋上の雨水集水均等分配タンク３と各戸への均等分配ホース４の組み合わせにより均等に各戸に配水する。
精密濾過装置５は、水を使用するたび水頭圧が脈動し無動力で逆洗浄し性能が落ちにくい為小さな濾過器で造水し、また強制的には飲用水逆流洗浄用バルブ１４と未精密濾過水吐水用蛇口１２の操作で逆洗浄を無動力でする構造とした。
【手続補正５】
【補正対象書類名】明細書
【補正対象項目名】００１１
【補正方法】変更
【補正の内容】
【００１１】
１屋上
２粗塵除去装置
３雨水集水均等分配タンク
４均等分配ホース
５精密濾過装置
６オーバーフロー調整具
７雨水貯留タンク
８上水補給調整ボールタップ
９飲用水貯留タンク
１０空気抜き弁
１１ドレン弁
１２未精密濾過水吐水用蛇口
１３精密濾過水吐水用蛇口
１４飲用水逆流洗浄用バルブ
【手続補正６】
【補正対象書類名】図面
【補正対象項目名】図１
【補正方法】変更
【補正の内容】
【図１】
0003141077.tif 000005
【手続補正７】
【補正対象書類名】図面
【補正対象項目名】図２
【補正方法】変更
【補正の内容】
【図２】
0003141077.tif 000006